(57)【要約】【課題】  コンパクトで携帯性に優れると共に、使用者が希望する方向へ風を送ることが容易な携帯型扇風機を提供する。【解決手段】  本体ケース１と、この本体ケース１に内蔵された回転羽根７と、この回転羽根７を回転駆動する電動モーター８と、この電動モーター８に電力を供給するバッテリー９と、回転羽根７に空気を供給する空気吸込み部６と、回転羽根７から発生する風を外部に吹き出す送風部２とを有する携帯型扇風機１０であって、この携帯型扇風機１０は、使用者の被服に取り付け可能な取り付け部と、平面に設置可能な支持部１１とを備え、送風部２は、本体ケース１の上面に設けられて、複数の仕切り板によって複数の送風口が形成されている。【選択図】図４
0003173011.tif 000002
【実用新案登録請求の範囲】
【請求項１】
本体ケースと、該本体ケースに内蔵された回転羽根と、該回転羽根を回転駆動する電動モーターと、該電動モーターに電力を供給するバッテリーと、前記回転羽根に空気を供給する空気吸込み部と、前記回転羽根から発生する風を外部に吹き出す送風部とを有する携帯型扇風機であって、
該携帯型扇風機は、使用者の被服に取り付け可能な取り付け部と、平面に設置可能な支持部とを備え、前記送風部は、前記本体ケースの上面に設けられて、複数の仕切り板によって複数の送風口を形成していることを特徴とする携帯型扇風機。
【請求項２】
複数の仕切り板が、本体ケースの上面に対して略垂直方向に設置されていることを特徴とする請求項１に記載の携帯型扇風機。
【請求項３】
複数の仕切り板が、本体ケースの上面に対する垂直方向から角度を有するように、傾斜して設置されていることを特徴とする請求項１に記載の携帯型扇風機。
【請求項４】
空気吸込み部を、本体ケースの側面に設けたことを特徴とする請求項１〜３のいずれか１項に記載の携帯型扇風機。
【請求項５】
支持部の設置平面との接触箇所にラバー塗装を施すことによって、電動モーターからの振動を抑制することを特徴とする請求項１〜４のいずれか１項に記載の携帯型扇風機。
【請求項６】
電動モーターに接続するＵＳＢ端子を設け、該ＵＳＢ端子にＵＳＢケーブルを接続することによって、パーソナルコンピュター等のＵＳＢ端子を有する電子機器から電力を供給することを可能にしたことを特徴とする請求項１〜５のいずれか１項に記載の携帯型扇風機。
【請求項７】
取り付け部は、バネによって挟持するクリップからなり、該クリップを使用者の被服に取り付けて使用可能なことを特徴とする請求項１〜６のいずれか１項に記載の携帯型扇風機。
【請求項８】
携帯型扇風機が、使用者の体にフィットするように、本体ケースの使用者との接触面を曲面としたことを特徴とする請求項１〜７のいずれか１項に記載の携帯型扇風機。
【請求項９】
請求項１〜８のいずれか１項に記載の携帯型扇風機を挿入することが可能な胸ポケットを備えた上着であって、該上着の胸ポケットは、前記携帯型扇風機からの送風を下着へ供給することができる穴部を備えたことを特徴とする携帯型扇風機を装着可能な上着。
【考案の詳細な説明】
【技術分野】
【０００１】
本考案は、紐で使用者の首に掛けて使用することができ、机の上に置いて使用することもでき、上着の胸ポケットにも入れることができる小型の携帯型扇風機に関するものである。
【背景技術】
【０００２】
従来から、紐で使用者の首に掛けて使用することができる携帯型送風機は知られている（特許文献１参照）。この携帯型送風機は、環状紐部およびこの環状紐部から下方に向って延びる線状紐部を有する首掛け体と、前記線状紐部に、この線状紐部に沿って移動可能に設けられた送風機本体と、前記線状紐部の上端側に設けられた一方の引掛孔部を有するフック受け体と、前記線状紐部の下端側に設けられ、前記引掛孔部を有するフック受け体と係脱可能に係合して前記送風機本体を上方送風姿勢に保つ、前記引掛孔部に引っ掛けるフック体とを備えるものである。
【０００３】
上述のように、特許文献１に記載の携帯型送風機では、使用者の顔方向に風を送るためには、送風機本体を、上方送風姿勢に保つために、紐とフックとによって、送風機本体の姿勢を変える調整を行う必要があり、この作業は煩わしいものであった。また、上方送風姿勢では、送風機本体の回転羽根の回転軸が、地面に対して垂直な方向となることから、使用者の胸付近で前方に回転羽根を突出させる状態としなければならず、携帯型送風機の使用時に種々の作業を行い易いものではなかった。また、送風口が大きいことから、回転羽根によって発生する風が上方に拡散するので、使用者の顔に風を当てようとする場合には、送風口方向へ大きく首を曲げなければならなかった。
【先行技術文献】
【特許文献】
【０００４】
【特許文献１】特開２００６−１４４６２６号公報
【考案の概要】
【考案が解決しようとする課題】
【０００５】
そこで、本考案は、コンパクトで携帯性に優れると共に、使用者が希望する方向へ風を送ることが容易な携帯型扇風機を提供することを目的とする。
【課題を解決するための手段】
【０００６】
上記課題を解決するため、請求項１に記載の考案は、本体ケースと、該本体ケースに内蔵された回転羽根と、該回転羽根を回転駆動する電動モーターと、該電動モーターに電力を供給するバッテリーと、前記回転羽根に空気を供給する空気吸込み部と、前記回転羽根から発生する風を外部に吹き出す送風部とを有する携帯型扇風機であって、該携帯型扇風機は、使用者の被服に取り付け可能な取り付け部と、平面に設置可能な支持部とを備え、前記送風部は、前記本体ケースの上面に設けられて、複数の仕切り板によって複数の送風口を形成していることを特徴としている。送風部を本体ケースの上面に設けることによって、携帯型扇風機をコンパクトな形状にすることができる。
【０００７】
また、請求項２に記載の考案は、請求項１に記載の考案において、複数の仕切り板が、本体ケースの上面に対して略垂直方向に設置されていることを特徴としている。複数の仕切り板が携帯型扇風機の上面に対して略垂直方向に設置されていることによって、送風が本体ケースの上面に対して略垂直方向から供給されるため、携帯型扇風機をコンパクトな形状にすることができると共に、使用者の被服に取り付けた場合には、使用者の顔方向に送風を供給することが容易となる。
【０００８】
また、請求項３に記載の考案は、請求項１に記載の考案において、複数の仕切り板が、本体ケースの上面に対する垂直方向から角度を有するように、傾斜して設置されていることを特徴としている。仕切り板を回転羽根によって発生する風の向きに傾斜させることによって、複数の送風口から吹き出す風の風力を増加させることができる。また、使用者の被服に取り付けて使用する場合と、机等の平面に設置して使用する場合の両方で使用することができる。
【０００９】
また、請求項４に記載の考案は、請求項１〜３のいずれか１項に記載の考案において、空気吸込み部を、本体ケースの側面に設けたことを特徴としている。空気吸込み部を側面に設けることによって、デザイン性に優れると共に、回転羽根によって作り出される風の流れを送風口へ集中させることができる。
【００１０】
また、請求項５に記載の考案は、請求項１〜４のいずれか１項に記載の考案において、支持部の設置平面との接触箇所にラバー塗装を施すことによって、電動モーターからの振動を抑制することを特徴としている。携帯型扇風機を机等の平面に設置した場合には、回転羽根を回転させる電動モーターの振動が机等の設置面に伝わり易く耳障りとなるが、ラバー塗装を施すことによって、設置面との摩擦係数が大きくすることができ、振動を抑えることができる。
【００１１】
また、請求項６に記載の考案は、請求項１〜５のいずれか１項に記載の考案において、電動モーターに接続するＵＳＢ端子を設け、該ＵＳＢ端子にＵＳＢケーブルを接続することによって、パーソナルコンピュター等のＵＳＢ端子を有する電子機器から電力を供給することを可能にしたことを特徴としている。電動モーターに電力を供給するバッテリーには通常、乾電池が使用されるが、机等の平面に設置する場合には、ＵＳＢ端子にＵＳＢケーブルを接続することによって、パーソナルコンピュター等のＵＳＢ端子を有する電子機器から電力を供給することができるので、乾電池の消耗を少なくすることができる。
【００１２】
また、請求項７に記載の考案は、請求項１〜６のいずれか１項に記載の考案において、取り付け部は、バネによって挟持するクリップからなり、該クリップを使用者の被服に取り付けて使用可能なことを特徴としている。したがって、簡易な方法で使用者の被服に取り付けることができることから、使い勝手に優れている。
【００１３】
また、請求項８に記載の考案は、請求項１〜請求項７のいずれか１項に記載の考案において、携帯型扇風機が、使用者の体にフィットするように、本体ケースの使用者との接触面を曲面としたことを特徴としている。本体ケースの使用者との接触面を曲面とし、使用者の体にフィットさせることによって、送風口から排出される風が顔等に当たり易くなり、首を曲げる角度を小さくすることができる。
【００１４】
また、請求項９に記載の携帯型扇風機を装着可能な上着の考案は、請求項１〜８に記載の携帯型扇風機を挿入することが可能な胸ポケットを備えた上着であって、該上着の胸ポケットは、前記携帯型扇風機からの送風を下着へ供給することができる穴部を備えたことを特徴としている。上着の胸ポケットに穴部を備えることによって、携帯型扇風機からの送風を下着へ供給し易くすることができると共に、胸ポケットに携帯型扇風機を収容することができるので、他人に気付かれずに清涼感を楽しむことができる。
【考案の効果】
【００１５】
請求項１に記載の考案により、携帯型扇風機をコンパクトな形状にすることができる。
【００１６】
請求項２に記載の考案により、使用者の被服に取り付けた場合には、使用者の顔方向に送風を供給することが容易となる。
【００１７】
請求項３に記載の考案により、複数の送風口から吹き出す風の風力を増加させることができる。
【００１８】
請求項４に記載の考案により、デザイン性に優れると共に、回転羽根によって作り出される風の流れを送風口へ集中させることができる。
【００１９】
請求項５に記載の考案により、設置面との摩擦係数が大きくすることができ、電動モーターの振動を抑えることができる。
【００２０】
請求項６に記載の考案により、パーソナルコンピュター等のＵＳＢ端子を有する電子機器から電力を供給することができ、乾電池の消耗を少なくすることができる。
【００２１】
請求項７に記載の考案により、簡易な方法で使用者の被服に取り付けることができるので、使い勝手に優れた携帯型扇風機を提供することができる。
【００２２】
請求項８に記載の考案により、送風口から排出される風が顔等に当たり易くなり、首を曲げる角度を小さくすることができる。
【００２３】
請求項９に記載の考案により、携帯型扇風機からの送風を下着へ供給し易くすることができると共に、他人に気付かれずに清涼感を楽しむことができる。
【図面の簡単な説明】
【００２４】
【図１】図１は、本発明に係る携帯型扇風機の第１実施形態を示す斜視図である。
【図２】図２（ａ）は、本発明に係る携帯型扇風機の平面図、（ｂ）は、同正面図、（ｃ）は、同右側面図、（ｄ）は、同底面図である。
【図３】図３は、本発明に係る携帯型扇風機の背面図である。
【図４】図４は、図２のＡ−Ａ断面図である。
【図５】図５は、本発明に係る携帯型扇風機を構成する回転羽根の斜視図である。
【図６】図６（ａ）は、本発明に係る携帯型扇風機を構成する回転羽根の平面図、（ｂ）は、同正面図、（ｃ）は、同右側面図（ｄ）は、同背面図である。
【図７】図７は、図６のＡ−Ａ断面図である。
【図８】図８（ａ）は、仕切り板の一例を示す説明図である。図８（ｂ）は、仕切り板の他例を示す説明図である。
【図９】図９は、本発明に係る携帯型扇風機を平面に設置した場合を示す右側面図である。
【図１０】図１０は、本発明に係る携帯型扇風機の第２実施形態を示す説明図である。
【図１１】図１１は、本発明に係る携帯型扇風機の第３実施形態を示す説明図である。
【図１２】図１２は、本発明に係る携帯型扇風機を装着可能な上着を示す説明図である。
【考案を実施するための形態】
【００２５】
以下に、図面を用いて本考案の実施形態を説明する。
【００２６】
図１は、本考案に係る携帯型扇風機の第１実施形態を示す斜視図であり、図２（ａ）は、本発明に係る携帯型扇風機の平面図、（ｂ）は、同正面図、（ｃ）は、同右側面図、（ｄ）は、同底面図である。また、図３は、同背面図である。これらの図に示すように、携帯型扇風機１０は、本体ケース１の上面に送風部２を備え、この送風部２は、複数の仕切り板３ａ，３ｂ，３ｃ・・・によって、複数の送風口４ａ，４ｂ，４ｃ・・・が形成されている。また、本体ケース１の右側面には、スイッチ５が設けられていて、スイッチ５をＯＮにすると、複数の送風口４ａ，４ｂ，４ｃ・・・から風が外部に吹き出される。また、スイッチ５をＯＦＦにすると、複数の送風口４ａ，４ｂ，４ｃ・・・からの風の供給が止まる構造となっている。
【００２７】
また、本体ケース１の側面部（右側面、左側面及び底面を含む）には、空気吸込み部６が設けられており、この空気吸込み部６に形成された溝６ａが、後述する回転羽根７と連通して、空気を供給する構造となっている。
【００２８】
図４は、図２のＡ−Ａ断面図である。図４に示すように、携帯型扇風機１０の本体ケース１の内部には、回転羽根７と、この回転羽根７を回転駆動する電動モーター８と、この電動モーター８に電力を供給するバッテリー９とが内蔵されている。
【００２９】
図５は、本発明に係る携帯型扇風機を構成する回転羽根７の斜視図であり、図６（ａ）は、同平面図、（ｂ）は、同正面図、（ｃ）は、同右側面図（ｄ）は、同背面図である。また、図７は、図６のＡ−Ａ断面図である。これらの図に示すように、回転羽根７は、円形の本体の周面に沿って曲面で形成された複数のフィン７ａ，７ｂ，７ｃ・・・を有するものであり、円形の本体の背面側には、上述した電動モーター８を収容する収容空間２１が形成され、円形の本体の中心部に形成された軸固定部２２に電動モーター８の回転軸が固定される構造となっている。
【００３０】
図８（ａ）は、仕切り板の一例を示す説明図である。この図に示すように、複数の仕切り板３ａ，３ｂ，３ｃ・・・の長手方向が、携帯型扇風機１０の本体ケース１の上面に対して略垂直方向となるように設置されている。複数の仕切り板３ａ，３ｂ，３ｃ・・・が本体ケース１の上面に対して略垂直方向に設置されていることによって、送風が本体ケース１の上面に対して略垂直方向から供給されるため、携帯型扇風機１０をコンパクトな形状にすることができると共に、使用者の被服に取り付けた場合には、送風口４ａ，４ｂ，４ｃから使用者の顔方向に送風を供給することが容易となる。
【００３１】
一方、図８（ｂ）は、仕切り板の他例を示す説明図であり、複数の仕切り板１３ａ，１３ｂ，１３ｃ・・・の長手方向が、携帯型扇風機１０ａの本体ケース１ａの上面に対する垂直方向から傾斜して設置されている。図面上、回転羽根７は、時計回りに回転しており、仕切り板１３ａ，１３ｂ，１３ｃを回転羽根７によって発生する風が吹き出す方向（矢印の方向）に傾斜させることによって、複数の送風口１４ａ，１４ｂ，１４ｃが傾斜した開口となり、この複数の送風口１４ａ，１４ｂ，１４ｃから吹き出す風の風力を増加させることができる。
【００３２】
図９は、本発明に係る携帯型扇風機１０を平面に設置した場合を示す右側面図である。本体ケース１には、一端の支持軸を中心に回動する支持部１１が設けられており、この支持部１１の他端を本体ケース１から取り出すことによって、携帯型扇風機１０を机などの平面に載置することができる。ここで、支持部１１には、設置面との接触箇所にラバー塗装１１ａが施されている。また、本体ケース１の設置面との接触箇所にもラバー塗装１１ｂが施されている。通常、回転羽根７を回転させる電動モーター８の振動が机等の設置面に伝わり易く耳障りとなるが、ラバー塗装１１ａ，１１ｂを施すことによって、設置面との摩擦係数が大きくすることができ、振動を抑えることができる。
【００３３】
図１０は、本発明に係る携帯型扇風機の第２実施形態を示す説明図である。この図に示すように、携帯型扇風機１０ｂが、使用者の体にフィットするように、携帯型扇風機１０ｂの本体ケース１ｂの使用者Ｘとの接触面を曲面２０としている。本体ケース１ｂの使用者Ｘとの接触面を曲面２０とし、使用者Ｘの体にフィットさせることによって、送風口４ａ，４ｂ，４ｃ・・・から排出される風が顔等に当たり易くなり、使用者Ｘの首を曲げる角度を小さくすることができる。
【００３４】
図１１は、図１１は、本発明に係る携帯型扇風機の第３実施形態を示す説明図である。この図に示すように、使用者の被服に取り付け可能な取り付け部は、本体ケース１に、紐１２ａの一端が取り付けられ、紐１２ａの他端には、バネによって挟持するクリップ１２ｂが取り付けられている。このように、クリップ１２ｂを使用することによって、携帯型扇風機１０ｃを使用者の被服に容易に取り付けることが可能となる。
【００３５】
また、本体ケース１の右側面に設けられたスイッチ５の下方には、ＵＳＢ端子１５が設けられており、このＵＳＢ端子１５に、ＵＳＢケーブル１６を接続することによって、パーソナルコンピュター等のＵＳＢ端子を有する電子機器から電力を供給することができるので、乾電池等のバッテリー９の消耗を少なくすることができる。
【００３６】
図１２は、本発明に係る携帯型扇風機を装着可能な上着を示す説明図である。この上着１７は、本発明に係る携帯型扇風機１０を挿入することが可能な胸ポケット１８を備えた上着１７であって、この上着１７の胸ポケット１８には、携帯型扇風機１０からの送風を下着へ供給することができる穴部１８ａを備えている。上着１７の胸ポケット１８に穴部１８ａを備えることによって、携帯型扇風機１０からの送風を下着へ供給し易くすることができると共に、胸ポケット１８に携帯型扇風機１０を収容することができるので、他人に気付かれずに清涼感を楽しむことができる。
【産業上の利用可能性】
【００３７】
本考案の携帯型扇風機及び携帯型扇風機を装着可能な上着は、屋内及び屋外において、清涼感を感じるために使用され、上着の胸ポケットにも入れることができる小型の携帯型扇風機及び、この携帯型扇風機を装着可能な上着として利用される。
【符号の説明】
【００３８】
１，１ａ，１ｂ  本体ケース
２  送風部
３ａ，３ｂ，３ｃ・・・１３ａ，１３ｂ，１３ｃ・・・  仕切り板
４ａ，４ｂ，４ｃ・・・１４ａ，１４ｂ，１４ｃ・・・  送風口
５  スイッチ
６  空気吸込み部
６ａ  溝
７  回転羽根
７ａ，７ｂ，７ｃ・・・  フィン
８  電動モーター
９  バッテリー
１０，１０ａ，１０ｂ，１０ｃ  携帯型扇風機
１１  支持部
１１ａ，１１ｂ  ラバー塗装
１２ａ  紐
１２ｂ  クリップ
１５  ＵＳＢ端子
１６  ＵＳＢケーブル
１７  上着
１８  胸ポケット
１８ａ  穴部
２０  曲面
２１  収容空間
２２  軸固定部
【図１】
0003173011.tif 000003
【図２】
0003173011.tif 000004
【図３】
0003173011.tif 000005
【図４】
0003173011.tif 000006
【図５】
0003173011.tif 000007
【図６】
0003173011.tif 000008
【図７】
0003173011.tif 000009
【図８】
0003173011.tif 000010
【図９】
0003173011.tif 000011
【図１０】
0003173011.tif 000012
【図１１】
0003173011.tif 000013
【図１２】
0003173011.tif 000014